(57)【要約】【課題】簡単な構造で隣接したソケット同士の衝突による騒音の発生等を防止したエレベーターを得る。【解決手段】この発明に係るエレベーターは、一直線上に配置された複数のロッド１２のそれぞれに螺着された六角ナット１９が収まる矩形状の角穴を有する回転防止具１８を、角穴に六角ナット１９が収ってコイルばね１７の上面に載置する。回転防止具１８は、対辺寸法が六角ナット１９の対角寸法よりも小さく、一直線上に配置された各ロープシャックル２の回転が規制される。【選択図】図２
2012250821.tif 000002
【特許請求の範囲】
【請求項１】
ロープの上端部を固定したソケットを有するロープシャックルと、
このロープシャックルのロッドの端部に中心軸線に沿って遊挿された弾性体と、
この弾性体の下端部が当接して昇降路の上側に固定されているとともに各前記ロッドが貫通する複数の貫通穴を有する綱止め板と、
各前記ロッドの上端部に螺着して各前記ロープシャックルを前記弾性体を介して前記綱止め板に取付けた六角ナットと、
一直線上に配置された複数の前記ロッドのそれぞれに螺着された前記六角ナットが収まる矩形状の角穴を有し、この角穴に六角ナットが収って前記弾性体の上面に載置された回転防止具とを備え、
前記回転防止具は、前記角穴の対向した長辺間の対辺寸法が前記六角ナットの対向した角間の対角寸法よりも小さく、前記六角ナットの回転が前記角穴により規制されることで前記ロープシャックルの回転が規制されるようになっていることを特徴とするエレベーター。
【請求項２】
前記回転防止具は、前記対辺寸法が前記六角ナットの対向した二面間の対面寸法よりも大きいことを特徴とする請求項１に記載のエレベーター。
【請求項３】
ロープの上端部を固定したソケットを有するロープシャックルと、
このロープシャックルのロッドの端部に中心軸線に沿って遊挿された弾性体と、
この弾性体の下端部が当接して昇降路の上側に固定されているとともに各前記ロッドが貫通する複数の貫通穴を有する綱止め板と、
各前記ロッドの上端部に少なくとも２個螺着して前記ロープシャックルを前記弾性体を介して前記綱止め板に取付けた六角ナットと、
千鳥足状に配置された複数のロッドにそれぞれ螺着された一対の前記六角ナットで挟持されて固定されているとともに連結穴を有する回転防止体と、
千鳥足状に配置された複数の前記回転防止体のうち一方の直線上に配置された複数の回転防止体の各前記連結穴に挿通し、各前記ロープシャックルの回転を規制する第１の連結棒と、
千鳥足状に配置された複数の前記回転防止体のうち他方の直線上に配置された複数の回転防止体の各前記連結穴に挿通し、各前記ロープシャックルの回転を規制する第２の連結棒とを備えていることを特徴とするエレベーター。
【請求項４】
前記ソケットは、楔式のソケットであって、前記ロープが露出した側が前記一直線に対して垂直方向に向いて配置されていることを特徴とする請求項１〜３の何れか１項に記載のエレベーター。
【発明の詳細な説明】
【技術分野】
【０００１】
この発明は、昇降路の上側に取付けられ、ロープの上端部を固定したソケットを有するロープシャックルを備えたエレベーターに関する。
【背景技術】
【０００２】
従来、隣接したロープシャックル同士の干渉を防ぐ装置として、例えば複数のエレベーターロープを規制した装置が知られている（例えば、特許文献１参照）。
この装置は、複数本のエレベーターロープの上端部をそれぞれ固定した複数のロープシャックルのソケットの下側に、各エレベーターロープが貫通する貫通穴を有するロープ規制具を備えており、このロープ規制具により、各エレベーターロープの水平方向の移動を規制することで、隣接したソケット同士が衝突して騒音が発生するのを防止している。
【先行技術文献】
【特許文献】
【０００３】
【特許文献１】国際公開第２００４／０８３０９２号パンフレット
【発明の概要】
【発明が解決しようとする課題】
【０００４】
しかしながら、上記引用文献１のものは、複数本の各ロープを規制するロープ規制具は、それぞれ半円状の溝が複数設けられ、組み合わせることで複数の貫通穴を形成する２枚の外板及び内板と、外板及び内板を結合する通しボルト及びナットとを有しているので、部品点数が増大し、また外板及び内板に各ロープを規制するための複数の溝加工を施さなければならず、部品コストが高くなるという問題点があった。
【０００５】
この発明は、かかる問題点を解決することを課題とするものであって、簡単な構造で隣接したソケット同士の衝突による騒音の発生等を防止したエレベーターを得ることを目的とする。
【課題を解決するための手段】
【０００６】
この発明に係るエレベーターは、
ロープの上端部を固定したソケットを有するロープシャックルと、
このロープシャックルのロッドの端部に中心軸線に沿って遊挿された弾性体と、
この弾性体の下端部が当接して昇降路の上側に固定されているとともに各前記ロッドが貫通する複数の貫通穴を有する綱止め板と、
各前記ロッドの上端部に螺着して各前記ロープシャックルを前記弾性体を介して前記綱止め板に取付けた六角ナットと、
一直線上に配置された複数の前記ロッドのそれぞれに螺着された前記六角ナットが収まる矩形状の角穴を有し、この角穴に六角ナットが収って前記弾性体の上面に載置された回転防止具とを備え、
前記回転防止具は、前記角穴の対向した長辺間の対辺寸法が前記六角ナットの対向した角間の対角寸法よりも小さく、前記六角ナットの回転が前記角穴により規制されることで前記ロープシャックルの回転が規制されるようになっている。
【０００７】
また、この発明に係るエレベーターは、
ロープの上端部を固定したソケットを有するロープシャックルと、
このロープシャックルのロッドの端部に中心軸線に沿って遊挿された弾性体と、
この弾性体の下端部が当接して昇降路の上側に固定されているとともに各前記ロッドが貫通する複数の貫通穴を有する綱止め板と、
各前記ロッドの上端部に少なくとも２個螺着して前記ロープシャックルを前記弾性体を介して前記綱止め板に取付けた六角ナットと、
千鳥足状に配置された複数のロッドにそれぞれ螺着された一対の前記六角ナットで挟持されて固定されているとともに連結穴を有する回転防止体と、
千鳥足状に配置された複数の前記回転防止体のうち一方の直線上に配置された複数の回転防止体の各前記連結穴に挿通し、各前記ロープシャックルの回転を規制する第１の連結棒と、
千鳥足状に配置された複数の前記回転防止体のうち他方の直線上に配置された複数の回転防止体の各前記連結穴に挿通し、各前記ロープシャックルの回転を規制する第２の連結棒とを備えている。
【発明の効果】
【０００８】
この発明によるエレベーターによれば、一直線上に配置された複数のロッドのそれぞれに螺着された六角ナットが収まる矩形状の角穴を有する簡単な構成の回転防止具を、角穴に六角ナットが収って弾性体の上面に載置するだけで、一直線上に配置された各ロープシャックルの回転が規制され、隣接したソケット同士の衝突による騒音の発生を簡単に防止することができる。
【０００９】
また、この発明によるエレベーターによれば、千鳥足状に配置された複数の回転防止体のうち一方の直線上に配置された複数の回転防止体の各連結穴に挿通して各ロープシャックルの回転を規制する第１の連結棒と、千鳥足状に配置された複数の前記回転防止体のうち他方の直線上に配置された複数の回転防止体の各前記連結穴に挿通して各ロープシャックルの回転を規制する第２の連結棒とを備えているので、千鳥足状に配置された各ロープシャックルの回転が規制され、隣接したソケット同士の衝突による騒音の発生を簡単に防止することができる。
【図面の簡単な説明】
【００１０】
【図１】この発明の実施の形態１のエレベーターを示す概要図である。
【図２】図１の要部正面図である。
【図３】図２の側面図である。
【図４】図２の平面図である。
【図５】図２の回転防止具を示す正面図である。
【図６】図４の六角ナットの平面図である。
【図７】図１のロープシャックルの一使用態様を示す図である。
【図８】図１のロープシャックルの別の使用態様を示す正面図である。
【図９】この発明の実施の形態２のエレベーターの要部を示す正面図である。
【図１０】図９の側面図である。
【図１１】図９の平面図である。
【図１２】図１２（ａ）は図９の回転防止体を示す正面図、図１２（ｂ）は図９の連結棒を示す正面図である。
【図１３】図９のエレベーターのロープシャックルと異なる配置における要部を示す正面図である。
【図１４】図１３の平面図である。
【発明を実施するための形態】
【００１１】
以下、この発明に係るエレベーターについて図に基づいて説明するが、各図において、同一または相当部材、部位については同一符号を付して説明する。
【００１２】
実施の形態１．
図１はこの発明の実施の形態１のエレベーターを示す概要図である。
このエレベーターは、半かけ２：１ローピング方式のエレベーターであり、複数本のロープ１の両端部は、ロープシャックル２のソケット３により固定されている。
ロープ１は、途中、昇降路１０を上下動するかご５の上部に設けられたかご吊り車４、かご５に連動するつり合おもり６の上部に設けられたつり合おもり吊り車７、駆動綱車８及びそらせ車９にそれぞれ巻き掛けられている。
昇降路１０の底面には、かご５、つり合おもり６にそれぞれ対向した緩衝器１１が設けられている。
【００１３】
各ロープシャックル２は、図２に示すように、ロープ１が露出した側が同じ方向に向いて一列に配列された楔式のソケット３と、このソケット３から垂直上方向に延びたロッド１２とから構成されている。各ロッド１２は、表面に雄ねじ加工された雄ねじ部１３が形成されている。
昇降路１０の上側に設けられた機械室床１４には、支持部１５を介して綱止め板１６が固定されている。この綱止め板１６には、各ロッド１２がそれぞれ空隙を有して貫通する複数の貫通穴が形成されている。各ロッド１２は、綱止め板１６の貫通穴を貫通した先端部に中心軸線に沿って弾性体であるコイルばね１７が遊挿されている。
各コイルばね１７上には、図５に示す回転防止具１８が載置されている。各ロッド１２は、先端部に２個の六角ナット１９が螺着されている。この六角ナット１９がロッド１２に螺着されることで、ロープシャックル２は、綱止め板１６にコイルばね１７を介して取付けられている。
また、各ロッド１２の雄ねじ部１３は、ロープ１の張力を調整するためのもので、各六角ナット１９の回転により各ロッド１２を上下動させることでロープ１の張力が調整され、また六角ナット１９を締付けることでロープ１の張力が維持される。また、コイルばね１７の伸縮に連動してロープシャックル２が上下動する。
【００１４】
回転防止具１８は、矩形状の角穴２０を有している。角穴２０には、一直線上に配置された複数の六角ナット１９のうち下段の六角ナット１９が収まっている。
この角穴２０は、対向した長辺間の対辺寸法Ｌ１が六角ナット１９の対向した二面間の対面寸法Ｌ２よりも大きく、六角ナット１９の対向した角間の対角寸法Ｌ３よりも小さく形成されている（図６参照）。
【００１５】
この実施の形態によるエレベーターによれば、回転防止具１８の対辺寸法Ｌ１が、六角ナット１９の対角寸法Ｌ３よりも小さく形成されており、回転防止具１８を、六角ナット１９が角穴２０に収まるようにコイルばね１７の上面に載置するだけで、直線上に配置された各ロープシャックル２の回転を規制することができ、隣接したソケット３同士の衝突による騒音の発生を防止することができる。
【００１６】
また、楔式のソケット３は、図２及び図３から分かるように、ソケット３のロープ１が露出した部位が膨出しており、この部位が配列されたロープシャックル２の直線に対して垂直方向に向いているので、それだけ隣接したソケット３間で大きな空隙寸法が確保され、隣接したソケット３同士の衝突による騒音の発生をより確実に防止することができる。
【００１７】
ところで、図７に示すように、隣接したロープ１同士の間隔はかご５が上昇する際には、綱止め板１６近傍の複数のロープ１は互いに微小に接近した水平移動する。
そして、例えば、誤って各ソケット３が異なる方向に向いて配置し、隣接した各ソケット３間の距離が短くなってしまった場合、ソケット３同士が衝突して騒音が発生し、さらにはロッド１２に曲げモーメントが生じ、ロッド１２が変形するおそれがある。
これに対して、この実施の形態では、回転防止具１８は、たとえソケット３同士が衝突しても、回転防止具１８の対辺寸法Ｌ１が、六角ナット１９の対面寸法Ｌ２よりも大きく形成されているので、六角ナット１９は、水平方向に移動し、ロッド１２に曲げ応力は発生しない。
【００１８】
さらに、この回転防止具１８は、図８に示すように、各ロープシャックル２の上下位置が一致しない場合においても、回転防止具１８をコイルばね１７上に各六角ナット１９が収まるように載置することで、簡単に、ロープシャックル２の回転を規制することができ、隣接したソケット３同士の衝突による騒音の発生を防止することができる。
【００１９】
実施の形態２．
図９はこの発明の実施の形態２のエレベーターの要部を示す正面図、図１０は図９の側面図、図１１は図９の平面図である。
この実施の形態では、各一対の六角ナット１９間に図１２（ａ）に示す回転防止体２１が挟持されている。この回転防止体２１は、ロッド１２の先端部が貫通する貫通穴２２が形成されたベース２３と、このベース２３の両側から起立し、図１２（ｂ）に示す連結棒２４が挿通する連結穴２５を有する一対の起立部２６とを有している。
他の構成は、実施の形態１のエレベーターと同じである。
【００２０】
この実施の形態でも、実施の形態１と同様に、連結棒２４を回転防止体２１の連結穴２５に挿通するだけで、直線上に配置された各ロープシャックル２の回転を規制することができ、隣接したソケット３同士の衝突による騒音の発生を防止することができる。
【００２１】
また、この実施の形態では、網止め板１６の貫通穴が千鳥足状に形成され、ロープシャックル２の配置が千鳥足状にされる場合でも適用できる。
即ち、この場合には、図１３及び図１４から分かるように、距離Ａだけ離れて千鳥足状に配置された複数の回転防止体２１のうち一方の直線上に配置された複数の回転防止体２１は、ロープ１が露出した部位が配列されたロープシャックル２の直線に対して垂直方向に向いて配置されている。
この複数の回転防止体２１の連結穴２５に第１の連結棒２４Ａが挿通している。
また、千鳥足状に配置された複数の回転防止体２１のうち他方の直線上に配置された複数の回転防止体２１は、ロープ１が露出した部位が配列されたロープシャックル２の直線に対して垂直方向に向いて配置されている。
この複数の回転防止体２１の連結穴２５に第２の連結棒２４Ｂが挿通している。
各ロープシャックル２は、隣接したソケット３の向きが正反対に配置されている。
【００２２】
このように、各ロープシャックル２が千鳥状に配置された場合でも、第１の連結棒２４Ａ、第２の連結棒２４Ｂを各回転防止体２１の連結穴２５に挿通するだけで、直線上に配置された各ロープシャックル２の回転を規制することができ、隣接したソケット３同士の衝突による騒音の発生を防止することができる。
なお、各ロープシャックル２が、三直線以上の複数線で配置された場合にも、各直線に沿って連結棒を回転防止体の連結穴に挿通することで、ロープシャックル２の回転を簡単に規制することができる。
【００２３】
なお、上記各実施の形態では、弾性体としてコイルばねを用いた場合について説明したが、例えば筒状の弾性ゴムであってもよい。
また、上記各実施の形態では、楔式のソケット３のロープシャックル２の場合で説明したが、例えばバビット式のソケットのロープシャックルであってもよい。
【符号の説明】
【００２４】
１  ロープ、２  ロープシャックル、３  ソケット、４  かご吊り車、５  かご、６  つり合おもり、７  吊り合おもり吊り車、８  駆動綱車、９  そらせ車、１０  昇降路、１１  緩衝器、１２  ロッド、１３  雄ねじ部、１４  機械室床、１５  支持部、１６  綱止め板、１７  コイルばね（弾性体）、１８  回転防止具、１９  六角ナット、２０  角穴、２１  回転防止体、２２  貫通穴、２３  ベース、２４  連結棒、２４Ａ  第１の連結棒、２４Ｂ  第２の連結棒、２６  起立部、Ｌ１  対辺寸法、Ｌ２  対面寸法、Ｌ３  対角寸法。
【図１】
2012250821.tif 000003
【図２】
2012250821.tif 000004
【図３】
2012250821.tif 000005
【図４】
2012250821.tif 000006
【図５】
2012250821.tif 000007
【図６】
2012250821.tif 000008
【図７】
2012250821.tif 000009
【図８】
2012250821.tif 000010
【図９】
2012250821.tif 000011
【図１０】
2012250821.tif 000012
【図１１】
2012250821.tif 000013
【図１２】
2012250821.tif 000014
【図１３】
2012250821.tif 000015
【図１４】
2012250821.tif 000016